(57)【特許請求の範囲】
【請求項１】
表示手段に複数のエレベータの状態を表示するとともに所定の入力に基づいて前記複数のエレベータを制御するエレベータの監視制御方法において、
複数の制御項目のそれぞれについて、各制御項目により制御される制御対象が所定の入力により設定され、前記複数の制御項目の設定内容を一つの制御パターンの設定内容として設定する制御パターン設定ステップと、
前記制御パターン設定ステップで設定された複数の制御パターンの設定内容を記憶する制御パターン記憶ステップと、
前記制御パターン記憶ステップにて記憶された前記複数の制御パターンを前記表示手段に表示し、表示された前記複数の制御パターンのうちの一つを選択し、選択された制御パターンを構成する前記複数の制御項目の設定内容に基づき、複数のエレベータの制御を実行する制御実行ステップと、を備え、
前記制御実行ステップは、
前記選択された制御パターンの設定内容を、一括実行するか部分実行するかの選択を前記表示手段に表示する制御パターン判断ステップと、
前記制御パターン判断ステップにて前記制御パターンの設定内容を一括実行すると選択された場合、前記制御パターンの設定内容に基づく実行制御指令を生成する制御パターン実行ステップと、
制御パターン判断ステップにて前記制御パターンの設定内容を部分実行すると選択された場合、前記制御パターンを構成する前記各制御項目について、前記制御項目の設定内容を実行するか否かの選択を前記表示手段に表示し、実行すると選択された各制御項目の設定内容に基づく実行制御指令を生成する制御項目実行ステップと、を備える
ことを特徴とするエレベータの監視制御方法。
【請求項２】
表示手段に複数のエレベータの状態を表示するとともに所定の入力に基づいて前記複数のエレベータを制御するエレベータの監視制御方法において、
複数の制御項目のそれぞれについて、各制御項目により制御される制御対象が所定の入力により設定され、前記複数の制御項目の設定内容を一つの制御パターンの設定内容として設定する制御パターン設定ステップと、
前記制御パターン設定ステップで設定された複数の制御パターンの設定内容を記憶する制御パターン記憶ステップと、
前記制御パターン記憶ステップにて記憶された前記複数の制御パターンを前記表示手段に表示し、表示された前記複数の制御パターンのうちの一つを選択し、選択された制御パターンを構成する前記複数の制御項目の設定内容に基づき、複数のエレベータの制御を実行する制御実行ステップと、を備え、
前記制御実行ステップは、
前記選択された制御パターンの設定内容を、一括実行するか部分実行するかの選択を前記表示手段に表示する制御パターン判断ステップと、
制御パターン判断ステップにて前記制御パターンの設定内容を一括実行すると選択された場合、前記制御パターンの設定内容に基づく実行制御指令を生成する制御パターン実行ステップと、
制御パターン判断ステップにて前記制御パターンの設定内容を部分実行すると選択された場合、前記制御パターンを構成する前記各制御項目について、前記制御項目の設定内容を一括実行するか部分実行するかの選択を前記表示手段に表示する制御項目判断ステップと、
前記制御項目判断ステップにて一括実行すると選択された制御項目の設定内容に基づく実行制御指令を生成する制御項目一括実行ステップと、
前記制御項目判断ステップにて部分実行すると選択された制御項目の設定内容を変更し、変更された設定内容に基づく実行制御指令を生成する制御項目部分実行ステップと、を備える
ことを特徴とするエレベータの監視制御方法。
【請求項３】
前記制御パターン設定ステップは、前記複数の制御項目のそれぞれについて、前記各制御項目により制御される制御対象が、所定の入力により前記複数のエレベータのバンク単位、号機単位、または乗り場単位で特定して設定され、前記複数の制御項目の設定内容を一つの制御パターンの設定内容として設定し、
前記制御項目部分実行ステップは、前記制御項目判断ステップにて部分実行すると選択された制御項目の制御対象の一部を前記複数のエレベータのバンク単位、号機単位、または乗り場単位で切り放し、残りの制御対象を前記制御項目により制御することを指令する実行制御指令を生成する
ことを特徴とする請求項２記載のエレベータの監視制御方法。
【請求項４】
表示手段に複数のエレベータの状態を表示するとともに所定の入力に基づいて前記複数のエレベータを制御するエレベータの監視制御装置の中央処理装置に実行させるためのプログラムにおいて、
複数の制御項目のそれぞれについて、各制御項目により制御される制御対象が所定の入力により設定され、前記複数の制御項目の設定内容を一つの制御パターンの設定内容として設定する制御パターン設定ステップと、
前記制御パターン設定ステップで設定された複数の制御パターンの設定内容を記憶する制御パターン記憶ステップと、
前記制御パターン記憶ステップにて記憶された前記複数の制御パターンを前記表示手段に表示し、表示された前記複数の制御パターンのうちの一つを選択し、選択された制御パターンを構成する前記複数の制御項目の設定内容に基づき、複数のエレベータの制御を実行する制御実行ステップと、
を前記中央処理装置に実行させ、
前記制御実行ステップは、
前記選択された制御パターンの設定内容を、一括実行するか部分実行するかの選択を前記表示手段に表示する制御パターン判断ステップと、
前記制御パターン判断ステップにて前記制御パターンの設定内容を一括実行すると選択された場合、前記制御パターンの設定内容に基づく実行制御指令を生成する制御パターン実行ステップと、
制御パターン判断ステップにて前記制御パターンの設定内容を部分実行すると選択された場合、前記制御パターンを構成する前記各制御項目について、前記制御項目の設定内容を実行するか否かの選択を前記表示手段に表示し、実行すると選択された各制御項目の設定内容に基づく実行制御指令を生成する制御項目実行ステップと、を備える
ことを特徴とするプログラム。
【請求項５】
表示手段に複数のエレベータの状態を表示するとともに所定の入力に基づいて前記複数のエレベータを制御するエレベータの監視制御装置の中央処理装置に実行させるためのプログラムにおいて、
複数の制御項目のそれぞれについて、各制御項目により制御される制御対象が所定の入力により設定され、前記複数の制御項目の設定内容を一つの制御パターンの設定内容として設定する制御パターン設定ステップと、
前記制御パターン設定ステップで設定された複数の制御パターンの設定内容を記憶する制御パターン記憶ステップと、
前記制御パターン記憶ステップにて記憶された前記複数の制御パターンを前記表示手段に表示し、表示された前記複数の制御パターンのうちの一つを選択し、選択された制御パターンを構成する前記複数の制御項目の設定内容に基づき、複数のエレベータの制御を実行する制御実行ステップと、
を前記中央処理装置に実行させ、
前記制御実行ステップは、
前記選択された制御パターンの設定内容を、一括実行するか部分実行するかの選択を前記表示手段に表示する制御パターン判断ステップと、
制御パターン判断ステップにて前記制御パターンの設定内容を一括実行すると選択された場合、前記制御パターンの設定内容に基づく実行制御指令を生成する制御パターン実行ステップと、
制御パターン判断ステップにて前記制御パターンの設定内容を部分実行すると選択された場合、前記制御パターンを構成する前記各制御項目について、前記制御項目の設定内容を一括実行するか部分実行するかの選択を前記表示手段に表示する制御項目判断ステップと、
前記制御項目判断ステップにて一括実行すると選択された制御項目の設定内容に基づく実行制御指令を生成する制御項目一括実行ステップと、
前記制御項目判断ステップにて部分実行すると選択された制御項目の設定内容を変更し、変更された設定内容に基づく実行制御指令を生成する制御項目部分実行ステップと、を備える
ことを特徴とするプログラム。
【請求項６】
前記制御パターン設定ステップは、前記複数の制御項目のそれぞれについて、前記各制御項目により制御される制御対象が、所定の入力により前記複数のエレベータのバンク単位、号機単位、または乗り場単位で特定して設定され、前記複数の制御項目の設定内容を一つの制御パターンの設定内容として設定し、
前記制御項目部分実行ステップは、前記制御項目判断ステップにて部分実行すると選択された制御項目の制御対象の一部を前記複数のエレベータのバンク単位、号機単位、または乗り場単位で切り放し、残りの制御対象を前記制御項目により制御することを指令する実行制御指令を生成する
ことを特徴とする請求項５記載のプログラム。
【請求項７】
表示手段に複数のエレベータの状態を表示するとともに所定の入力に基づいて前記複数のエレベータを制御するエレベータの監視制御装置において、
複数のエレベータの状態を表示する表示手段と、
請求項４又は５に記載のプログラムを記憶するプログラム記憶手段と、
前記プログラム記憶手段に記憶されたプログラムを実行する中央処理装置と、を備える
ことを特徴とするエレベータの監視制御装置。
【発明の詳細な説明】
【技術分野】
【０００１】
本発明は、ビル内に設置された複数台のエレベータの運転状態を監視および制御するエレベータの監視制御方法、プログラム、および監視制御装置に関する。
【背景技術】
【０００２】
ビル内に設置された複数台のエレベータの運転状態を監視および制御する従来のエレベータの監視制御装置として、特許文献１に開示されたものがある。従来のエレベータ監視制御は、中央処理装置（ＣＰＵ）と、中央処理装置により実行されるプログラムを記憶する記憶装置（ＲＯＭまたはＲＡＭ）と、ビルの管理人（ユーザ）が常駐する監視室に設けられた表示器とを備えている。そして、このようなエレベータ監視制御装置は、エレベータを監視することにより得た情報を表示器の画面上に表示させるとともに、ユーザによる表示器の画面操作に応じてエレベータを制御するものである。【０００３】
ここで、エレベータの監視制御装置は、エレベータの制御を行うために、以下の処理を行う。まず始めに、ユーザによる表示器の画面操作に応じて、複数の制御項目の設定を行う。各制御項目は、それぞれ異なる機能により一台または複数台のエレベータを制御するものであり、例えば後述する「遠隔休止」がある。各制御項目の設定内容として、その制御項目により制御される一台または複数台のエレベータが特定される。次に、ユーザの画面操作により、当該設定された複数の制御項目のうち少なくとも一つの制御項目について制御実行が指令されると、指令された各制御項目により、それぞれの設定内容として特定された複数のエレベータを制御する。【０００４】
なお、特許文献１では、一つの制御項目が複数の「モード」から構成されており、各モードの設定内容として、その制御項目により制御される一台または複数台のエレベータが特定されるようになっている。そして、ユーザの画面操作により、まず複数の制御項目のうち一つの制御項目が選択され、次に、選択された制御項目を構成する複数のモードの中から少なくとも一つのモードが選択されることにより、制御実行が指令される。制御実行が指令されると、当該選択された制御項目により、当該選択された各モードの設定内容として特定されたエレベータを制御する。他の制御項目についても、同様に制御実行が指令される。【０００５】
このように、エレベータの制御を、制御項目の設定処理と実行処理に分けることにより、次回以降において、前回と同じ制御項目により同じエレベータを制御する場合、制御項目の設定処理を省略し、制御項目の実行処理のみを行うだけで可能となる。
【先行技術文献】
【特許文献】
【０００６】
【特許文献１】特開平4-371468号（段落0107〜0112、段落0126〜0127、図８〜図１０）
【発明の概要】
【発明が解決しようとする課題】
【０００７】
しかし、上記のような従来のエレベータの監視制御装置では、各制御項目は互いに独立して設定されていた。これにより、同時に複数の制御項目によりエレベータの制御を行いたい場合、ユーザは、各制御項目について制御の実行を指令する必要があった。よって、同じエレベータ制御を何回も繰返すユーザにとって、毎回、同じ一連の動作を行う必要があり、操作性が悪く、誤操作を誘起するという問題があった。【０００８】
また、上記のような従来のエレベータの監視制御装置では、各制御項目の設定内容を一部変更した上で制御を行うことはできなかった。これにより、非常時などで一時的に、ある制御項目の設定内容として特定された複数のエレベータのうち一部のエレベータを切り放して制御を行いたい場合は、制御項目の設定処理を省略することができず、制御項目の設定処理と実行処理の両方を行う必要があった。よって、非常時などに迅速に対応することが出来ず、操作性が悪いという問題があった。【０００９】
本発明は、上記の課題を解決するためにされたものであり、高機能で、かつ操作性のよいエレベータの監視制御装置を得ることを課題とする。
【課題を解決するための手段】
【００１０】
本発明にかかるエレベータの監視制御方法は、表示手段に複数のエレベータの状態を表示するとともに所定の入力に基づいて複数のエレベータを制御するエレベータの監視制御方法において、複数の制御項目のそれぞれについて、各制御項目により制御される制御対象が所定の入力により設定され、複数の制御項目の設定内容を一つの制御パターンの設定内容として設定する制御パターン設定ステップと、制御パターン設定ステップで設定された複数の制御パターンの設定内容を記憶する制御パターン記憶ステップと、制御パターン記憶ステップにて記憶された複数の制御パターンを表示手段に表示し、表示された複数の制御パターンのうちの一つを選択し、選択された制御パターンを構成する複数の制御項目の設定内容に基づき、複数のエレベータの制御を実行する制御実行ステップと、を備え、制御実行ステップは、選択された制御パターンの設定内容を、一括実行するか部分実行するかの選択を表示手段に表示する制御パターン判断ステップと、制御パターン判断ステップにて制御パターンの設定内容を一括実行すると選択された場合、制御パターンの設定内容に基づく実行制御指令を生成する制御パターン実行ステップと、制御パターン判断ステップにて制御パターンの設定内容を部分実行すると選択された場合、制御パターンを構成する各制御項目について、制御項目の設定内容を実行するか否かの選択を表示手段に表示し、実行すると選択された各制御項目の設定内容に基づく実行制御指令を生成する制御項目実行ステップと、を備えることを特徴とする。
また、本発明にかかるエレベータの監視制御方法は、表示手段に複数のエレベータの状態を表示するとともに所定の入力に基づいて複数のエレベータを制御するエレベータの監視制御方法において、複数の制御項目のそれぞれについて、各制御項目により制御される制御対象が所定の入力により設定され、複数の制御項目の設定内容を一つの制御パターンの設定内容として設定する制御パターン設定ステップと、制御パターン設定ステップで設定された複数の制御パターンの設定内容を記憶する制御パターン記憶ステップと、制御パターン記憶ステップにて記憶された複数の制御パターンを表示手段に表示し、表示された複数の制御パターンのうちの一つを選択し、選択された制御パターンを構成する複数の制御項目の設定内容に基づき、複数のエレベータの制御を実行する制御実行ステップと、を備え、制御実行ステップは、選択された制御パターンの設定内容を、一括実行するか部分実行するかの選択を表示手段に表示する制御パターン判断ステップと、制御パターン判断ステップにて制御パターンの設定内容を一括実行すると選択された場合、制御パターンの設定内容に基づく実行制御指令を生成する制御パターン実行ステップと、制御パターン判断ステップにて制御パターンの設定内容を部分実行すると選択された場合、制御パターンを構成する各制御項目について、制御項目の設定内容を一括実行するか部分実行するかの選択を表示手段に表示する制御項目判断ステップと、制御項目判断ステップにて一括実行すると選択された制御項目の設定内容に基づく実行制御指令を生成する制御項目一括実行ステップと、制御項目判断ステップにて部分実行すると選択された制御項目の設定内容を変更し、変更された設定内容に基づく実行制御指令を生成する制御項目部分実行ステップと、を備えることを特徴とする。
【００１１】
本発明にかかるプログラムは、表示手段に複数のエレベータの状態を表示するとともに所定の入力に基づいて複数のエレベータを制御するエレベータの監視制御装置の中央処理装置に実行させるためのプログラムにおいて、複数の制御項目のそれぞれについて、各制御項目により制御される制御対象が所定の入力により設定され、複数の制御項目の設定内容を一つの制御パターンの設定内容として設定する制御パターン設定ステップと、制御パターン設定ステップで設定された複数の制御パターンの設定内容を記憶する制御パターン記憶ステップと、制御パターン記憶ステップにて記憶された複数の制御パターンを表示手段に表示し、表示された複数の制御パターンのうちの一つを選択し、選択された制御パターンを構成する複数の制御項目の設定内容に基づき、複数のエレベータの制御を実行する制御実行ステップと、を中央処理装置に実行させ、制御実行ステップは、選択された制御パターンの設定内容を、一括実行するか部分実行するかの選択を表示手段に表示する制御パターン判断ステップと、制御パターン判断ステップにて制御パターンの設定内容を一括実行すると選択された場合、制御パターンの設定内容に基づく実行制御指令を生成する制御パターン実行ステップと、制御パターン判断ステップにて制御パターンの設定内容を部分実行すると選択された場合、制御パターンを構成する各制御項目について、制御項目の設定内容を実行するか否かの選択を表示手段に表示し、実行すると選択された各制御項目の設定内容に基づく実行制御指令を生成する制御項目実行ステップと、を備えることを特徴とする。
また、本発明にかかるプログラムは、表示手段に複数のエレベータの状態を表示するとともに所定の入力に基づいて複数のエレベータを制御するエレベータの監視制御装置の中央処理装置に実行させるためのプログラムにおいて、複数の制御項目のそれぞれについて、各制御項目により制御される制御対象が所定の入力により設定され、複数の制御項目の設定内容を一つの制御パターンの設定内容として設定する制御パターン設定ステップと、制御パターン設定ステップで設定された複数の制御パターンの設定内容を記憶する制御パターン記憶ステップと、制御パターン記憶ステップにて記憶された複数の制御パターンを表示手段に表示し、表示された複数の制御パターンのうちの一つを選択し、選択された制御パターンを構成する複数の制御項目の設定内容に基づき、複数のエレベータの制御を実行する制御実行ステップと、を中央処理装置に実行させ、制御実行ステップは、選択された制御パターンの設定内容を、一括実行するか部分実行するかの選択を表示手段に表示する制御パターン判断ステップと、制御パターン判断ステップにて制御パターンの設定内容を一括実行すると選択された場合、制御パターンの設定内容に基づく実行制御指令を生成する制御パターン実行ステップと、制御パターン判断ステップにて制御パターンの設定内容を部分実行すると選択された場合、制御パターンを構成する各制御項目について、制御項目の設定内容を一括実行するか部分実行するかの選択を表示手段に表示する制御項目判断ステップと、制御項目判断ステップにて一括実行すると選択された制御項目の設定内容に基づく実行制御指令を生成する制御項目一括実行ステップと、制御項目判断ステップにて部分実行すると選択された制御項目の設定内容を変更し、変更された設定内容に基づく実行制御指令を生成する制御項目部分実行ステップと、を備えることを特徴とする。
【００１２】
本発明にかかるエレベータの監視制御装置は、表示手段に複数のエレベータの状態を表示するとともに所定の入力に基づいて前記複数のエレベータを制御するエレベータの監視制御装置において、複数のエレベータの状態を表示する表示手段と、前記プログラムを記憶するプログラム記憶手段と、前記プログラム記憶手段に記憶されたプログラムを実行する中央処理装置と、を備えることを特徴とする。
【発明の効果】
【００１３】
本発明によれば、制御設定処理において複数の制御項目を制御パターンとして設定することができるため、制御実行処理の際には、制御パターンを実行するだけで、複数の制御項目によるエレベータ制御が可能となる。これにより、操作性を向上することができる。【００１４】
また、制御実行処理の際には、制御設定処理において設定された制御パターンの一部を変更した上で実行することができる。これにより、必要に応じて迅速かつ柔軟な対応が可能となり、操作性を向上することができる。
【図面の簡単な説明】
【００１５】
【図１】本発明に係るエレベータ制御装置の基本システムを示すブロック図である。
【図２】監視制御装置１のブロック構成の説明図である。
【図３】制御設定処理のフローチャートである。
【図４】監視制御画面４０を示す図である。
【図５】制御設定画面５０を示す図である。
【図６】制御項目設定画面６０を示す図である。
【図７】制御対象確認画面７０を示す図である。
【図８】バンク単位制御対象設定画面８０を示す図である。
【図９】号機単位制御対象設定画面９０を示す図である。
【図１０】サービス階カット設定画面１００を示す図である。
【図１１】制御実行処理のＳ２００〜Ｓ２２５のフローチャートである。
【図１２】制御実行処理のＳ２２６〜Ｓ２４１のフローチャートである。
【図１３】制御実行画面１２０を示す図である。
【図１４】制御パターン実行画面１３０を示す図である。
【図１５】制御項目実行画面１４０を示す図である。
【図１６】バンク単位制御対象実行画面１５０を示す図である。
【図１７】バンク単位制御対象実行画面１６０を示す図である。
【図１８】号機単位制御対象実行画面１７０を示す図である。
【発明を実施するための形態】
【００１６】
本発明の実施の形態について説明する。図１は、本発明に係るエレベータ制御装置の基本システムを示すブロック図である。なお、本実施の形態では、一つのビル１５内に対して一つのシステムが構築されるものとする。１５はビル、３a〜３jはビル１５内に設置されたエレベータ号機を示しており、ビル１５内にa〜jの１０機のエレベータ号機があることを示している。また、本実施の形態では、号機３a〜３cは第１のバンクを、号機３d〜３fは第２のバンクを、号機３g〜３hは第３のバンクを、号機３i〜３jは第４のバンクを、それぞれ構成している。すなわち、ビル１５内に４つのバンクがある。ここで、「バンク」とは、１台または複数台のエレベータ号機で構成され１つのまとまった運転が行われるグループをいい、同じエレベータ号機の組み合わせからなるグループでも階によって異なるバンクとしてもよい。これに対して、「号機」とは、１台毎（かご単位）のエレベータをいう。
【００１７】
各プロトコル変換装置２a〜２jは、それぞれ各エレベータ号機３a〜３jに通信ケーブル１３a〜１３jを介して接続されているとともに、監視制御装置１にバス１１を介して接続されている。監視制御装置は、エレベータ号機３a〜３jの運転状態を監視するとともに、後述する制御設定処理および制御実行処理によりエレベータ号機３a〜３jを制御する。なお、監視制御装置１、プロトコル変換装置２a〜２j、エレベータ号機３a〜３j間の接続形態はこれに限定されない。
【００１８】
エレベータ号機３aを例にして、エレベータ号機３a〜３jの詳細構成について説明する。エレベータかご５dおよびおもり５eは巻上機５cにより昇降され、巻上機５cは駆動制御回路５bにより制御される。号機制御装置５aは、監視制御装置１から受ける実行制御指令に基づき、駆動制御回路５bを制御する。号機制御装置５aおよび駆動制御回路５bは、エレベータ号機３aの制御盤（図示しない）に格納されている。なお、エレベータ号機３b〜３jも同様の構成を有する。プロトコル変換装置２aは、監視制御装置１とエレベータ号機３aの号機制御装置５aとの間の通信プロトコルを変換する。なお、プロトコル変換装置２a〜２jも同様の動作をする。
【００１９】
監視制御装置１は、ビル１５内に設置された全てのエレベータ号機３a〜３jを監視および制御する。また、監視制御装置１には、通信ケーブル１４を介して表示手段である表示器４が接続されている。この表示器４および監視制御装置１は、管理人が常駐する監視室内に設けられている。管理人（ユーザ）は、表示器４の画面に設けられたタッチパネル（図示しない）や、表示器４に接続されたライトペン、キーボード、マウスなど（図示しない）を用いることにより、表示器４に表示される画面から入力操作することができる。
【００２０】
次に、図２を参照して監視制御装置１の詳細構成について説明する。図２は、監視制御装置１のブロック構成の説明図である。なお、監視制御装置１は、図示しない中央処理装置（ＣＰＵ）およびプログラム記憶手段である記憶装置（ＲＯＭやＲＡＭ）を内蔵しており、予めこの記憶装置に入力されたプログラムを中央処理装置が処理することで、以降に説明するような動作を行う。
【００２１】
表示器制御手段２１は、通信ケーブル１４を介して接続された外部の表示器４を制御する。制御パターン登録手段２２は、ユーザが表示器４に表示される画面を入力操作することにより設定した制御パターンの設定内容を制御パターン記憶手段２３に登録する。ここで、「制御パターン」とは、ビル内に設置された複数のエレベータ号機を同時に複数の制御項目により制御するための制御内容である。制御パターン記憶手段２３は、複数の制御パターンの設定内容を記憶することができる。
【００２２】
実行制御指令生成手段２４は、制御パターン記憶手段２３に登録された制御パターンを読み込み、読み込んだ制御パターンに基づいて実行制御指令を生成する。さらに、実行制御指令生成手段２４は、生成した実行制御指令を実行制御指令記憶手段２６に登録し、実行制御指令出力手段２５に出力指令を出力する。実行制御指令出力手段２５は、実行制御指令生成手段２４から出力指令を受けると、実行制御指令記憶手段２６に登録された実行制御指令を、プロトコル変換装置２a〜２jを介してエレベータ号機３a〜３jに出力する。
【００２３】
次に、図３〜図１０を参照して、監視制御装置１が行う制御設定処理と、この制御設定処理が行われる間、表示器４に表示される画面の順序について、説明する。ここで、「制御設定処理」とは、制御パターンを設定する処理をいう。
【００２４】
監視制御装置１の表示器制御手段２１は、通常、図４に示す監視制御画面４０を表示器４に表示させている。監視制御画面４０は、監視制御装置１がエレベータ号機３a〜３jを監視することにより得た情報（図示しない）が表示されるとともに、制御設定処理を開始するための制御設定ボタン４１および制御実行処理を開始するための制御実行ボタン４２を備えている。ユーザが制御設定ボタン４１を選択すると、監視制御装置１は、図３に示すフローチャートに従った制御設定処理を開始する。
【００２５】
監視制御画面４０の制御設定ボタン４１が選択されると、表示器制御手段２１は、表示器４に図５に示す制御設定画面５０を表示させる（Ｓ１００）。制御設定画面５０は、複数の制御パターンの名称（「制御パターンＡ」〜「制御パターンＤ」）を表示するパターン名表示欄５１、パターン名表示欄５１に表示された各制御パターンに対応する設定ボタン５２a〜５２d並びに確認ボタン５３a〜５３d、および一つ前に表示された画面に戻るための前画面表示ボタン５４を備えている。
【００２６】
図３のフローチャートには図示していないが、表示器制御手段２１は、制御パターン設定画面５０の確認ボタン５３a〜５３dが選択されたか否か、設定ボタン５２a〜５２dが選択されたか否か、および前画面表示ボタン５４が選択されたか否かを判断する。そして、確認ボタン５３a〜５３dのうちいずれかが選択された場合は、次に、選択された確認ボタンに対応する制御パターンについて現時点で設定されている内容を確認するための図示しない制御パターン確認画面を、表示器４に表示させる。例えば、Ｓ１００で図５の制御設定画面５０の確認ボタン５３aが選択されると、図示しない制御パターン確認画面には、「制御パターンＡ」について現時点で設定されている内容が表示される。一方、前画面表示ボタン５４が選択された場合は、再び、表示器４に監視制御画面４０を表示させる。以降では、設定ボタン５２a〜５２dのうちいずれかが選択された場合に監視制御装置１が行う処理について説明する。
【００２７】
Ｓ１００で制御設定画面５０の設定ボタン５２a〜５２dのうちいずれかが選択されると、次に表示器制御手段２１は、表示器４に図６に示す制御項目設定画面６０を表示させる（Ｓ１０１）。制御項目設定画面６０は、各制御項目の名称（「アップピークサービス」、「ダウンピークサービス」、「遠隔休止」、「サービス階カット」）を表示する制御項目名表示欄６１、制御項目名表示欄６１に表示された各制御項目に対応する設定ボタン６２a〜６２d並びに確認ボタン６３a〜６３d、設定完了ボタン６４、および破棄ボタン６５を備えている。制御項目名表示欄６１に表示される各制御項目は、Ｓ１００において図５の制御設定画面５０で選択された設定ボタンに対応する制御パターンを構成するものである。例えば、Ｓ１００で図５の制御設定画面５０の設定ボタン５２aが選択されると、Ｓ１０１で図６の制御項目設定画面６０の制御項目名表示欄６１には、「制御パターンＡ」を構成する複数の制御項目が表示される。なお、図６では、「アップピークサービス」、「ダウンピークサービス」、「遠隔」、「サービス階カット」の４つの制御項目が表示されているが、これに限定されない。
【００２８】
ここで、上記の各制御項目について説明する。「アップピークサービス」および「ダウンピークサービス」は、バンク単位でエレベータ制御を行う制御項目である。前者は、オフィスビルの出勤時などにおいて、下方階の上方向の乗客の待ち時間が長くならないように、下方階に呼ぶエレベータかごのタイミング・台数などを制御する。後者は、オフィスビルの退勤時などにおいて、上方階の下方向の乗客の待ち時間が長くならないように、上方階に呼ぶエレベータかごのタイミング・台数などを制御する。「遠隔休止」は、エレベータ号機単位で制御を行う制御項目であり、サービスを終えたエレベータかごを指定階に呼び戻し、自動休止させる。「サービス階カット」は、エレベータ乗り場単位で制御を行う制御項目であり、エレベータかごが行うサービスの対象から指定階を切り放す制御項目である。ここで、各「乗り場」は、エレベータ号機および階で特定される。
【００２９】
表示器制御手段２１は、図６の制御項目設定画面６０の確認ボタン６３a〜６３dのうちいずれかが選択されたか否かを判断する（Ｓ１０２）。Ｓ１０２で確認ボタン６３a〜６３dのうちいずれかが選択された場合、次に、図７に示す制御対象確認画面７０を表示させる（Ｓ１０３）。制御対象確認画面７０は、ビル１５内の制御対象の名称をバンク単位、号機単位、または乗り場単位で表示する制御対象名表示欄７１、チェック表示欄７２、および確認完了ボタン７３を備えている。チェック表示欄７２には、現時点で所定の制御項目が有効に適用されている制御対象名に対応して、チェックが表示される。この「所定の制御項目」としては、Ｓ１０２において図６の制御項目設定画面６０で選択された確認ボタンに対応する制御項目である。この制御対象確認画面７０は、ユーザによりその表示内容を編集されないようになっている。Ｓ１０３でユーザにより確認完了ボタン７３が選択されると、Ｓ１０１に戻って図６の制御項目設定画面６０を表示させる。
【００３０】
なお、制御対象名表示欄７１に表示される制御対象は、Ｓ１０２において制御項目設定画面６０の確認ボタンに対応する制御項目が「アップピークサービス」または「ダウンピークサービス」である場合、バンク単位で表示される。一方、「遠隔休止」である場合は号機単位で表示され、「サービス階カット」である場合は乗り場単位で表示される。
【００３１】
Ｓ１０２で確認ボタン６３a〜６３dが選択されなかった場合、次に、表示器制御手段２１は、設定ボタン６２a〜６２dのうちいずれかが選択されたか否かを判断する（Ｓ１０４）。Ｓ１０４で設定ボタン６２a〜６２dのうちいずれかが選択された場合、次に、選択された設定ボタンに対応する制御項目がバンク単位で制御が行われる制御項目（「アップピークサービス」または「ダウンピークサービス」）か否かを判断する（Ｓ１０９）。
【００３２】
Ｓ１０９でバンク単位で制御が行われる制御項目であると判断した場合は、次に、表示器制御手段２１は、表示器４に図８に示すバンク単位制御対象設定画面８０を表示させる（Ｓ１１０）。バンク単位制御対象設定画面８０は、ビル１５内の制御対象の名称をバンク単位で表示するバンク名表示欄８１、バンク名表示欄８１に表示された各バンク名に対応するチェックボックス８２a〜８２d、設定完了ボタン８３、および破棄ボタン８４を備えている。チェックボックス８２a〜８２dは、ユーザによりチェックの表示・非表示を選択されるようになっている。そして、チェックが表示されたチェックボックスに対応するバンクに「アップピークサービス」または「ダウンピークサービス」が有効に適用される。図８では、「バンク２」および「バンク３」に「アップピークサービス」または「ダウンピークサービス」が有効に適用されることを示している。
【００３３】
表示器制御手段２１は、図８のバンク単位制御対象設定画面８０の設定完了ボタン８３が選択されたか否かを判断する（Ｓ１１１）。Ｓ１１１で設定完了ボタン８３が選択された場合、次に、バンク単位制御対象設定画面８０で設定された内容を保持し（Ｓ１１３）、Ｓ１０１に戻って図６の制御項目設定画面６０を表示させる。Ｓ１１１で設定完了ボタン８３が選択されなかった場合、次に、破棄ボタン８４が選択されたか否かを判断する（Ｓ１１２）。Ｓ１１２で破棄ボタン８４が選択された場合、次に、それまでの設定内容を破棄し（Ｓ１１４）、Ｓ１０１に戻って図６の制御項目設定画面６０を表示させる。Ｓ１１２で破棄ボタン８４が選択されなかった場合、Ｓ１１１に戻って図８のバンク単位制御対象設定画面８０の設定完了ボタン８３が選択されたか否かを判断する。
【００３４】
一方、Ｓ１０９でバンク単位で制御が行われる制御項目でないと判断した場合は、次に、表示器制御手段２１は、Ｓ１０４で図６の制御項目設定画面６０において選択された設定ボタンに対応する制御項目が号機単位で制御が行われる制御項目（「遠隔休止」）か否かを判断する（Ｓ１１５）。Ｓ１１５で号機単位で制御が行われる制御項目であると判断した場合は、次に、表示器制御手段２１は、表示器４に図９に示す号機単位制御対象設定画面９０を表示させる（Ｓ１１６）。号機単位制御対象設定画面９０は、全バンク全号機ボタン９１、ビル１５内の制御対象の名称をバンク単位で表示するバンク名表示欄９２、バンク名表示欄９２に表示された各バンクに対応する全号機ボタン９３、バンク名表示欄９２に表示された各バンクを構成する各エレベータ号機の名称を表示する号機名表示欄９４、号機名表示欄９４に表示された各エレベータ号機に対応するチェックボックス９５、設定完了ボタン９６、および破棄ボタン９７を備えている。
【００３５】
チェックボックス９５は、ユーザによりチェックの表示・非表示を選択されるようになっている。そして、チェックが表示されたチェックボックスに対応する号機に「遠隔休止」が有効に適用される。ユーザにとって簡易な操作を可能とするために、全バンク全号機ボタン９１および全号機ボタン９３が設けられている。全バンク全号機ボタン９１が選択されると、全てのチェックボックス９５にチェックが表示・非表示される。全号機ボタン９３が選択されると、対応するバンクを構成する全ての号機に対応するチェックボックス９５にチェックが表示・非表示される。図９では、「バンク１」および「１０号機」に「遠隔休止」が有効に適用されることを示している。
【００３６】
表示器制御手段２１は、図９の号機単位制御対象設定画面の設定完了ボタン９６が選択されたか否かを判断する（Ｓ１１７）。Ｓ１１７で設定完了ボタン９６が選択された場合、次に、号機単位制御対象設定画面９０で設定された内容を保持し（Ｓ１１９）、Ｓ１０１に戻って図６の制御項目設定画面６０を表示させる。Ｓ１１７で設定完了ボタン９６が選択されなかった場合、次に、破棄ボタン９７が選択されたか否かを判断する（Ｓ１１８）。Ｓ１１８で破棄ボタン９７が選択された場合、次に、それまでの設定内容を破棄し（Ｓ１２０）、Ｓ１０１に戻って図６の制御項目設定画面６０を表示させる。Ｓ１１８で破棄ボタン９７が選択されなかった場合、Ｓ１１７に戻って図９の号機単位制御対象設定画面の設定完了ボタン９６が選択されたか否かを判断する。
【００３７】
一方、Ｓ１１５で号機単位で制御が行われる制御項目でないと判断した場合は、次に、表示器制御手段２１は、Ｓ１０４で図６の制御項目設定画面６０において選択された設定ボタンに対応する制御項目が「サービス階カット」であると判断し（Ｓ１２１）、次に、表示器４に図１０に示すサービス階カット設定画面１００を表示させる（Ｓ１２２）。サービス階カット設定画面１００は、ビル１５の各階の名称を表示する階名表示欄１０１、階名表示欄１０１に表示された各階に対応するフロア一括ボタン１０２、スクロール・ウィンドウ１０３、設定完了ボタン１０９、および破棄ボタン１１０を備えている。さらにスクロール・ウィンドウ１０３は、ビル１５内の制御対象の名称をバンク単位で表示するバンク名表示欄１０６、バンク名表示欄１０６に表示された各バンクを構成する各エレベータ号機の名称を表示する号機名表示欄１０７、各乗り場に対応するチェックボックス１０５a〜１０５cからなるチェックボックス１０５、バンク名表示欄１０６に表示された各バンクの各階に対応するバンク一括ボタン１０４、およびスクロール・バー１０８を備えている。
【００３８】
チェックボックス１０５は、ユーザによりチェックの表示・非表示を選択されるようになっている。そして、チェックが表示されたチェックボックス１０５に対応するエレベータ号機の階（乗り場）に「サービス階カット」が有効に適用される。すなわち、その階は、そのエレベータ号機が行うサービスの対象から切り放される。ここで、この「号機が行うサービス」とは、「上方向乗場呼び」、「下方向乗場呼び」、および「かご呼び」の３種類がある。「上方向乗場呼び」とは、乗客がある乗り場に設けられた上方向ボタンを押すと、上方向に走行するエレベータかごがその階へ呼ばれるサービスをいう。「下方向乗場呼び」とは、乗客がある乗り場に設けられた下方向ボタンを押すと、下方向に走行するエレベータかごがその階へ呼ばれるサービスをいう。「かご呼び」とは、乗客がエレベータかご内に設けられた階指定ボタンによりある階を指定すると、そのエレベータかごが指定された階へ呼ばれるサービスをいう。
【００３９】
チェックボックス１０５a〜１０５cは、それぞれ「上方向乗場呼び」、「下方向乗場呼び」、「かご呼び」に対応している。図１０では、「１号機」の「１階」、「バンク１」の「５階」、および「バンク２」の「５階」が、「上方向乗場呼び」、「下方向乗場呼び」、および「かご呼び」の対象から切り放されることを示している。ユーザにとって簡易な操作を可能とするために、フロア一括ボタン１０２およびバンク一括ボタン１０４が設けられている。フロア一括ボタン１０２が選択されると、対応する階における全てのチェックボックス１０５にチェックが表示・非表示される。バンク一括ボタン１０４が選択されると、対応するバンクの階における全てのチェックボックス１０５にチェックが表示・非表示される。
【００４０】
表示器制御手段２１は、図１０のサービス階カット設定画面１００の設定完了ボタン１０９が選択されたか否かを判断する（Ｓ１２３）。Ｓ１２３で設定完了ボタン１０９が選択された場合、次に、サービス階カット設定画面１００で設定された内容を保持し（Ｓ１２５）、Ｓ１０１に戻って図６の制御項目設定画面６０を表示させる。Ｓ１２３で設定完了ボタン１０９が選択されなかった場合、次に、破棄ボタン１１０が選択されたか否かを判断する（Ｓ１２４）。Ｓ１２４で破棄ボタン１１０が選択された場合、次に、それまでの設定内容を破棄し（Ｓ１２６）、Ｓ１０１に戻って図６の制御項目設定画面６０を表示させる。Ｓ１２４で破棄ボタン１１０が選択されなかった場合、Ｓ１２３に戻って図１０のサービス階カット設定画面１００の設定完了ボタン１０９が選択されたか否かを判断する。
【００４１】
Ｓ１０４で図６の制御項目設定画面６０の設定ボタン６２a〜６２dが選択されなかった場合、次に、表示器制御手段２１は、設定完了ボタン６４が選択されたか否かを判断する（Ｓ１０５）。Ｓ１０５で設定完了ボタン６４が選択された場合、次に、制御パターン登録手段２２は、Ｓ１００で制御パターン設定画面５０において選択された設定ボタンに対応する制御パターンの設定内容を、制御パターン記憶手段２３に登録する（Ｓ１０８）。例えば、Ｓ１００で図５の制御設定画面５０の設定ボタン５２aが選択されると、Ｓ１０８で「制御パターンＡ」の設定内容が制御パターン記憶手段２３に登録される。Ｓ１０８の後、監視制御装置１の制御設定処理が終了し、次に、表示器制御手段２１は、表示器４に図４の監視制御画面４０を表示させる。ここで、この「制御パターンの設定内容」とは、表示器制御手段２１がＳ１１３、Ｓ１１９、またはＳ１２５で保持した各制御項目の設定内容である。なお、Ｓ１０８の後に、再びＳ１００〜Ｓ１０３の処理が行われると、Ｓ１０３で表示される制御対象確認画面には、Ｓ１０８で登録された制御パターンの設定内容が表示される。
【００４２】
Ｓ１０５で図６の制御項目設定画面６０の設定完了ボタン６４が選択されなかった場合、次に、表示器制御手段２１は、破棄ボタン６５が選択されたか否かを判断する（Ｓ１０６）。Ｓ１０６で破棄ボタン６５が選択された場合は、それまでの設定内容を破棄する（Ｓ１０７）。Ｓ１０７の後、監視制御装置１の制御設定処理が終了し、次に、表示器制御手段２１は、表示器４に図４の監視制御画面４０を表示させる。Ｓ１０６で破棄ボタン６５が選択されなかった場合は、Ｓ１０４に戻って図６の制御項目設定画面６０の設定ボタン６２a〜６２dのうちいずれかが選択されたか否かを判断する。
【００４３】
次に、図１１〜図１８を参照して、監視制御装置１が行う制御実行処理と、この制御実行処理が行われる間、表示器４に表示される画面の順序について、説明する。ここで、「制御実行処理」とは、制御設定処理で設定された制御パターンを実行する処理をいう。
【００４４】
ユーザが図４の監視制御画面４０において制御実行ボタン４２を選択すると、監視制御装置１は、図１１および図１２に示す処理を開始する。図１１は、監視制御装置１が行う制御実行処理のＳ２００〜Ｓ２２５のフローチャートである。図１２は、監視制御装置１が行う制御実行処理のＳ２２６〜Ｓ２４１のフローチャートである。
【００４５】
監視制御画面４０の制御実行ボタン４２が選択されると、表示器制御手段２１は、表示器４に図１３に示す制御実行画面１２０を表示させる（Ｓ２００）。制御実行画面１２０は、複数の制御パターンの名称（「制御パターンＡ」〜「制御パターンＤ」）を表示するパターン名表示欄１２１、パターン名表示欄１２１に表示された各制御パターンに対応する一括実行ボタン１２２a〜１２２d、部分実行ボタン１２３a〜１２３d、並びに確認ボタン１２４a〜１２４d、および前画面表示ボタン１２５を備えている。前画面表示ボタン１２５が選択されると、表示器制御手段２１は、表示器４に図４の監視制御画面４０を表示させる。
【００４６】
表示器制御手段２１は、図１３の制御パターン実行画面１２０の確認ボタン１２４a〜１２４dが選択されたか否かを判断する（Ｓ２０１）。そして、Ｓ２０１で確認ボタン１２４a〜１２４dのうちいずれかが選択された場合は、次に、選択された確認ボタンに対応する制御パターンの設定内容を表示するための図示しない制御パターン確認画面を表示させる（Ｓ２０２）。例えば、Ｓ２０１で図１３の制御パターン実行画面１２０の確認ボタン１２４aが選択されると、Ｓ２０２において図示しない制御パターン確認画面には、「制御パターンＡ」の設定内容が表示される。この制御パターン確認画面に表示される制御パターンの設定内容とは、図３の制御設定処理におけるＳ１０８で制御パターン記憶手段２３に登録された制御パターンの設定内容である。そして、Ｓ２０２でユーザにより制御パターン確認画面に設けられた確認完了ボタンが選択されると、Ｓ２００に戻って図１３の制御実行画面１２０を表示させる。
【００４７】
Ｓ２００で確認ボタン１２４a〜１２４dが選択されなかった場合、次に、表示器制御手段２１は、一括実行ボタン１２２a〜１２２dのうちいずれかが選択されたか否かを判断する（Ｓ２０３）。Ｓ２０３で一括実行ボタン１２２a〜１２２dのうちいずれかが選択された場合、次に、図１４に示す制御パターン実行画面１３０を表示させる（Ｓ２０４）。制御パターン実行画面１３０は、ユーザへのメッセージを表示するメッセージ欄１３１、実行ボタン１３２、および前画面表示ボタン１３３を備えている。メッセージ欄１３１に表示されるメッセージは、所定の制御パターンを実行するか否かを、ユーザに確認するものである。この「所定の制御パターン」としては、Ｓ２０３で図１３の制御実行画面１２０において選択された一括実行ボタンに対応する制御パターンが選択される。例えば、Ｓ２０３で図１３の制御パターン実行画面１２０の一括実行ボタン１２２aが選択されると、Ｓ２０４において図１４の制御パターン実行画面１３０には、「制御パターンＡ」を実行するか否かを確認するためのメッセージが表示される。
【００４８】
表示器制御手段２１は、図１４の制御パターン実行画面１３０の実行ボタン１３２が選択されたか否かを判断する（Ｓ２０５）。そして、Ｓ２０５で実行ボタン１３２が選択された場合は、次に、実行制御指令生成手段２４は、制御パターン記憶手段２３から、制御パターン実行画面１３０のメッセージに表示された制御パターンの設定内容を読み込む。さらに、読み込んだ制御パターンの設定内容に基づいて実行制御指令を生成し、生成した実行制御指令を実行制御指令記憶手段２６に登録する（Ｓ２０６）。この「実行制御指令」は、各エレベータ号機の号機制御装置（例えば、図１の号機制御装置５a）を制御する制御信号から構成される。
【００４９】
また、実行制御指令生成手段２４は、実行制御指令出力手段２５に対し、出力指令を出力する（Ｓ２０７）。この「出力指令」は、Ｓ２０６で実行制御指令生成手段２４が実行制御指令記憶手段２６に登録する実行制御指令を、ビル１５内の複数のエレベータ号機３a〜３jの号機制御装置に出力することを指令するものである。Ｓ２０７の後、実行制御指令出力手段２５は、出力指令に従って実行制御指令記憶手段２６から実行制御指令を読み込み、読み込んだ実行制御指令をエレベータ号機３a〜３jの号機制御装置に出力する（Ｓ２０８）。Ｓ２０８の後、監視制御装置１の制御実行処理が終了し、次に、表示器制御手段２１は、表示器４に図４の監視制御画面４０を表示させる。
【００５０】
Ｓ２０５で実行ボタン１３２が選択されなかった場合は、次に、ユーザにより前画面表示ボタン１３３が選択されると、Ｓ２００に戻って図１３の制御実行画面１２０を表示させる。
【００５１】
Ｓ２０３で図１３の制御実行画面１２０の一括実行ボタン１２２a〜１２２dが選択されなかった場合、次に、表示器制御手段２１は、部分実行ボタン１２３a〜１２３dのうちいずれかが選択されたか否かを判断する（Ｓ２０９）。Ｓ２０９で部分実行ボタン１２３a〜１２３dのうちいずれかが選択された場合、次に、表示器制御手段２１は、表示器４に図１５に示す制御項目実行画面１４０を表示させる（Ｓ２１０）。制御項目実行画面１４０は、ユーザへのメッセージを表示するメッセージ欄１４１、一括実行ボタン１４２、部分実行ボタン１４３、確認ボタン１４４、および前画面表示ボタン１４５を備えている。メッセージ欄１４１に表示されるメッセージは、所定の制御項目を実行するか否かを、ユーザに確認するものである。この「所定の制御項目」としては、Ｓ２０９で図１３の制御実行画面１２０において選択された部分実行ボタンに対応する制御パターンを構成する複数の制御項目のうちいずれか１つが選択される。例えば、Ｓ２０１で図１３の制御パターン実行画面１２０の部分実行ボタン１２３aが選択されると、Ｓ２１０において図１５の制御項目実行画面１４０には、「制御パターンＡ」を構成する複数の制御項目のうちいずれか１つについて実行するか否かを確認するためのメッセージが表示される。
【００５２】
表示器制御手段２１は、図１５の制御項目実行画面１４０の確認ボタン１４４が選択されたか否かを判断する（Ｓ２１１）。そして、Ｓ２１１で確認ボタン１４４が選択された場合は、次に、制御項目実行画面１４０のメッセージに表示された制御項目の設定内容について、前述した図７の制御項目確認画面７０を表示させる（Ｓ２１２）。この制御項目確認画面７０には、図３の制御設定処理におけるＳ１０８で制御パターン記憶手段２３に登録された設定内容が表示される。そして、Ｓ２１２でユーザにより制御項目確認画面７０に設けられた確認完了ボタン７３が選択されると、Ｓ２１０に戻って図１５の制御項目実行画面１４０を表示させる。
【００５３】
Ｓ２１１で確認ボタン１４４が選択されなかった場合、次に、表示器制御手段２１は、一括実行ボタン１４２が選択されたか否かを判断する（Ｓ２１３）。Ｓ２１３で一括実行ボタン１４２が選択された場合、次に、実行制御指令生成手段２４は、制御パターン記憶手段２３から、図１５の制御項目実行画面１４０のメッセージに表示された制御項目の設定内容を読み込む。さらに、読み込んだ制御項目の設定内容に基づいて実行制御指令を生成し、生成した実行制御指令を実行制御指令記憶手段２６に登録する（Ｓ２１４）。
【００５４】
Ｓ２１４の後、次に、表示器制御手段２１は、Ｓ２０９で図１３の制御実行画面１２０において選択された部分実行ボタンに対応する制御パターンを構成する複数の制御項目のうち、図３の制御設定処理で設定内容を保持された制御項目が他に存在するか否かを判断する（Ｓ２１５）。Ｓ２１５で存在すると判断した場合、Ｓ２１０に戻って図１５の制御項目実行画面１４０を表示させる。ただし、Ｓ２１０において、今回の制御項目実行画面１４０のメッセージに表示される制御項目は、前回に表示した制御項目実行画面１４０のメッセージに表示された制御項目以外の制御項目で、かつ図３の制御設定処理で設定された制御項目のうちいずれか１つが選択される。Ｓ２１５で存在しないと判断した場合、Ｓ２０７に戻って、実行制御指令生成手段２４は、実行制御指令出力手段２５に対し、出力指令を出力する。
【００５５】
Ｓ２１３で図１５の制御項目実行画面１４０の一括実行ボタン１４２が選択されなかった場合、次に、表示器制御手段２１は、部分実行ボタン１４３が選択されたか否かを判断する（Ｓ２１６）。Ｓ２１６で部分実行ボタン１４３が選択された場合、次に、制御項目実行画面１４０のメッセージに表示された制御項目がバンク単位で制御が行われる制御項目（「アップピークサービス」または「ダウンピークサービス」）か否かを判断する（Ｓ２１７）。Ｓ２１７でバンク単位で制御が行われる制御項目であると判断した場合、次に、表示器制御手段２１は、表示器４に図１６に示すバンク単位制御対象実行画面１５０を表示させる（Ｓ２１８）。バンク単位制御対象実行画面１５０は、ユーザへのメッセージを表示するメッセージ欄１５１、実行ボタン１５２、非実行ボタン１５３、前画面表示ボタン１５４、および破棄ボタン１５５を備えている。メッセージ欄１５１に表示されるメッセージは、図１５の制御項目実行画面１４０のメッセージに表示された制御項目を所定のバンクにおいて実行するか否かを、ユーザに確認するものである。この「所定のバンク」としては、制御項目実行画面１４０のメッセージに表示された制御項目の制御対象として、図３の制御設定処理で設定されたバンクのうちいずれか１つが選択される。
【００５６】
表示器制御手段２１は、図１６のバンク単位制御対象実行画面１５０の実行ボタン１５２が選択されたか否かを判断する（Ｓ２１９）。そして、Ｓ２１９で実行ボタン１５２が選択された場合は、次に、実行制御指令生成手段２４は、制御パターン記憶手段２３から、バンク単位制御対象実行画面１５０のメッセージに表示されたバンクの設定内容を読み込む。さらに、読み込んだバンクの設定内容に基づいて実行制御指令を生成し、生成した実行制御指令を実行制御指令記憶手段２６に登録する（Ｓ２２０）。
【００５７】
Ｓ２２０の後、次に、表示器制御手段２１は、図１５の制御項目実行画面１４０のメッセージに表示された制御項目の制御対象として、図３の制御設定処理で設定されたバンクが他に存在するか否かを判断する（Ｓ２２１）。Ｓ２２１で存在すると判断した場合、Ｓ２１８に戻って図１６のバンク単位制御対象実行画面１５０を表示させる。ただし、Ｓ２１８において、今回のバンク単位制御対象実行画面１５０のメッセージに表示されるバンクは、前回に表示したバンク単位制御対象実行画面１５０のメッセージに表示されたバンク以外のバンクで、かつ図３の制御設定処理で設定されたバンクのうちいずれか１つが選択される。Ｓ２２１で他のバンクが存在しないと判断した場合、Ｓ２１５に戻って図３の制御設定処理で設定内容を保持された制御項目が他に存在するか否かを判断する。
【００５８】
Ｓ２１９で図１６のバンク単位制御対象実行画面１５０の実行ボタン１５２が選択されなかった場合、次に、表示器制御手段２１は、非実行ボタン１５３が選択されたか否かを判断する（Ｓ２２２）。Ｓ２２２で非実行ボタン１５３が選択された場合、Ｓ２２１に戻って図３の制御設定処理で設定されたバンクが他に存在するか否かを判断する。Ｓ２２２で非実行ボタン１５３が選択されなかった場合、次に、表示器制御手段２１は、前画面表示ボタン１５４が選択されたか否かを判断する（Ｓ２２３）。Ｓ２２３で前画面表示ボタン１５４が選択された場合、Ｓ２１０に戻って図１５の制御項目実行画面１４０を表示させる。Ｓ２２３で前画面表示ボタン１５４が選択されなかった場合、次に、表示器制御手段２１は、破棄ボタン１５５が選択されたか否かを判断する（Ｓ２２４）。Ｓ２２４で破棄ボタン１５５が選択された場合、次に、実行制御指令生成手段２４は、実行制御指令記憶手段２６は、それまでに記憶した実行制御指令を破棄し（Ｓ２２５）、Ｓ２００に戻って図１３の制御実行画面１２０を表示させる。Ｓ２２４で破棄ボタン１５５が選択されなかった場合、Ｓ２１９に戻って図１６のバンク単位制御対象実行画面１５０の実行ボタン１５２が選択されたか否かを判断する。
【００５９】
Ｓ２１７で図１５の制御項目実行画面１４０のメッセージに表示された制御項目がバンク単位で制御が行われる制御項目でないと判断した場合、次に、表示器制御手段２１は、号機単位で制御が行われる制御項目（「遠隔休止」）または乗り場単位で制御が行われる制御項目（「サービス階カット」）であると判断する（Ｓ２２６）。Ｓ２２６の後、次に、表示器制御手段２１は、表示器４に図１７に示すバンク単位制御対象実行画面１６０を表示させる（Ｓ２２７）。バンク単位制御対象実行画面１６０は、ユーザへのメッセージを表示するメッセージ欄１６１、一括実行ボタン１６２、部分実行ボタン１６３、非実行ボタン１６４、前画面表示ボタン１６５、および破棄ボタン１６５を備えている。メッセージ欄１６１に表示されるメッセージは、図１５の制御項目実行画面１４０のメッセージに表示された制御項目を所定のバンクにおいて実行するか否かを、ユーザに確認するものである。この「所定のバンク」としては、制御項目実行画面１４０のメッセージに表示された制御項目の制御対象として、図３の制御設定処理で設定されたバンクのうちいずれか１つが選択される。
【００６０】
表示器制御手段２１は、図１７のバンク単位制御対象実行画面１６０の一括実行ボタン１６２が選択されたか否かを判断する（Ｓ２２８）。そして、Ｓ２２８で一括実行ボタン１６２が選択された場合は、次に、実行制御指令生成手段２４は、制御パターン記憶手段２３から、バンク単位制御対象実行画面１６０のメッセージに表示されたバンクの設定内容を読み込む。さらに、読み込んだバンクの設定内容に基づいて実行制御指令を生成し、生成した実行制御指令を実行制御指令記憶手段２６に登録する（Ｓ２２９）。
【００６１】
Ｓ２２９の後、次に、表示器制御手段２１は、図１５の制御項目実行画面１４０のメッセージに表示された制御項目の制御対象として、図３の制御設定処理で設定されたバンクが他に存在するか否かを判断する（Ｓ２３０）。Ｓ２３０で存在すると判断した場合、Ｓ２２７に戻って図１７の単位制御対象実行画面１６０を表示させる。ただし、Ｓ２２７において、今回のバンク単位制御対象実行画面１６０のメッセージに表示されるバンクは、前回に表示したバンク単位制御対象実行画面１６０のメッセージに表示されたバンク以外のバンクで、かつ図３の制御設定処理で設定されたバンクのうちいずれか１つが選択される。Ｓ２３０で存在しないと判断した場合、Ｓ２１５に戻って図３の制御設定処理で設定内容を保持された制御項目が他に存在するか否かを判断する。
【００６２】
Ｓ２２８で図１７のバンク単位制御対象実行画面１６０の一括実行ボタン１６２が選択されなかった場合、次に、表示器制御手段２１は、部分実行ボタン１６３が選択されたか否かを判断する（Ｓ２３１）。Ｓ２３１で部分実行ボタン１６３が選択された場合、次に、表示器制御手段２１は、表示器４に図１８に示す号機単位制御対象実行画面１７０を表示させる（Ｓ２３２）。号機単位制御対象実行画面１７０は、ユーザへのメッセージを表示するメッセージ欄１７１、実行ボタン１７２、非実行ボタン１７３、前画面表示ボタン１７４、および破棄ボタン１７５を備えている。メッセージ欄１７１に表示されるメッセージは、図１５の制御項目実行画面１４０のメッセージに表示された制御項目を所定の号機において実行するか否かを、ユーザに確認するものである。この「所定の号機」としては、バンク単位制御対象実行画面１６０のメッセージに表示されたバンクを構成する複数の号機で、かつ図３の制御設定処理で設定された号機のうちいずれか１つが選択される。
【００６３】
表示器制御手段２１は、図１８の号機単位制御対象実行画面１７０の実行ボタン１７２が選択されたか否かを判断する（Ｓ２３３）。そして、Ｓ２３３で実行ボタン１７２が選択された場合は、次に、実行制御指令生成手段２４は、制御パターン記憶手段２３から、号機単位制御対象実行画面１７０のメッセージに表示された号機の設定内容を読み込む。さらに、読み込んだ号機の設定内容に基づいて実行制御指令を生成し、生成した実行制御指令を実行制御指令記憶手段２６に登録する（Ｓ２３４）。
【００６４】
Ｓ２３４の後、表示器制御手段２１は、バンク単位制御対象実行画面１６０のメッセージに表示されたバンクを構成する複数の号機で、かつ図３の制御設定処理で設定された号機が他に存在するか否かを判断する（Ｓ２３５）。Ｓ２３５で存在すると判断した場合、Ｓ２３２に戻って図１８の号機単位制御対象実行画面１７０を表示させる。ただし、Ｓ２３２において、今回の号機単位制御対象実行画面１７０のメッセージに表示される号機は、バンク単位制御対象実行画面１６０のメッセージに表示されたバンクを構成する複数の号機のうち、前回に表示した号機単位制御対象実行画面１７０のメッセージに表示された号機以外の号機で、かつ図３の制御設定処理で設定された号機のうちいずれか１つが選択される。Ｓ２３５で存在しないと判断した場合、Ｓ２３０に戻って図３の制御設定処理で設定されたバンクが他に存在するか否かを判断する。
【００６５】
Ｓ２３３で図１８の号機単位制御対象実行画面１７０の実行ボタン１７２が選択されなかった場合、次に、表示器制御手段２１は、非実行ボタン１７３が選択されたか否かを判断する（Ｓ２３６）。Ｓ２３６で非実行ボタン１７３が選択された場合、Ｓ２３５に戻って図３の制御設定処理で設定された号機が他に存在するか否かを判断する。
【００６６】
Ｓ２３６で非実行ボタン１７３が選択されなかった場合、次に表示器制御手段２１は、前画面表示ボタン１７４が選択されたか否かを判断する（Ｓ２３７）。Ｓ２３７で前画面表示ボタン１７４が選択された場合、Ｓ２３２に戻って図１８に示す号機単位制御対象実行画面１７０を表示させる。Ｓ２３７で前画面表示ボタン１７４が選択されなかった場合、次に、表示器制御手段２１は、破棄ボタン１７５が選択されたか否かを判断する（Ｓ２３８）。Ｓ２３８で破棄ボタン１７５が選択された場合、次に、実行制御指令記憶手段２６は、それまでに記憶した実行制御指令を破棄し（Ｓ２３９）、Ｓ２００に戻って図１３に示す制御実行画面１２０を表示させる。Ｓ２３８で破棄ボタン１７５が選択されなかった場合、Ｓ２３３に戻って図１８の号機単位制御対象実行画面１７０の実行ボタン１７２が選択されたか否かを判断する。
【００６７】
Ｓ２３１で図１７のバンク単位制御対象実行画面１６０の部分実行ボタン１６３が選択されなかった場合、次に表示器制御手段２１は、破棄ボタン１６５が選択されたか否かを判断する（Ｓ２４０）。Ｓ２４０で破棄ボタン１６５が選択された場合、次に、実行制御指令記憶手段２６は、それまでに記憶した実行制御指令を破棄し（Ｓ２４１）、Ｓ２００に戻って図１３に示す制御実行画面１２０を表示させる。Ｓ２４０で破棄ボタン１６５が選択されなかった場合、Ｓ２２８に戻って図１７のバンク単位制御対象実行画面１６０の一括実行ボタン１６２が選択されたか否かを判断する。
【００６８】
なお、Ｓ１００〜１０７およびＳ１０９〜１２６は制御パターン設定ステップに相当し、Ｓ１０８は制御パターン記憶ステップに相当し、Ｓ２００〜２４１は制御実行ステップに相当する。そして、Ｓ２００〜２４１のうち、Ｓ２０８およびＳ２０９は制御パターン判断ステップに相当し、Ｓ２０４〜２０６は制御パターン実行ステップに相当し、Ｓ２１０〜２４１は制御項目実行ステップに相当する。また、Ｓ２１３およびＳ２１６は制御項目判断ステップに相当し、Ｓ２１４は制御項目一括実行ステップに相当し、Ｓ２１７〜２４１は制御項目部分実行ステップに相当する。
【００６９】
なお、表示器４に表示される各図面の順序や表示内容は、本発明の課題を解決することができる限り、適宜変更することができる。
【００７０】
本実施の形態によれば、制御設定処理において複数の制御項目をまとめて一つの制御パターンとして設定することができるため、制御実行処理の際には、一つの制御パターンを実行するだけで、複数の制御項目によるエレベータ制御が可能となる。これにより、例えば、２つの異なる制御パターンＡおよび制御パターンＢを、交互に実行する場合は、一旦制御設定処理において制御パターンＡ及び制御パターンＢを設定しておくだけで、その後の制御実行処理において交互に制御パターンＡまたは制御パターンＢを選択して実行するだけでよい。したがって、操作性を向上し、誤操作を低減することができる。
【００７１】
また、制御実行処理の際には、制御設定処理において設定された制御パターンの一部を切り放した上で実行することができる。これにより、例えば、制御パターンＡを実行している間に、１時間だけ１号機を制御対象から切り放したい場合、まず制御実行処理において制御パターンＡの制御対象から１号機を切り放した上で、制御パターンＡを実行する。そして、１時間後に再度制御実行処理を行う際には、制御対象を変更せずに制御パターンＡを実行するだけでよい。したがって、非常時にも迅速かつ柔軟な対応が可能となり、操作性を向上することができる。
【符号の説明】
【００７２】
１  監視制御装置
３a〜３j  エレベータ号機
４  表示器
５a  号機制御装置
５b  駆動制御回路
５c  巻き上げ機
５d  かご
５e  おもり
２１  表示器制御手段
２２  制御パターン登録手段
２３  制御パターン記憶手段
２４  実行制御指令生成手段
２５  実行制御指令出力手段
２６  実行制御指令記憶手段
【図１】
0005397467.tif 000002
【図２】
0005397467.tif 000003
【図３】
0005397467.tif 000004
【図４】
0005397467.tif 000005
【図５】
0005397467.tif 000006
【図６】
0005397467.tif 000007
【図７】
0005397467.tif 000008
【図８】
0005397467.tif 000009
【図９】
0005397467.tif 000010
【図１０】
0005397467.tif 000011
【図１１】
0005397467.tif 000012
【図１２】
0005397467.tif 000013
【図１３】
0005397467.tif 000014
【図１４】
0005397467.tif 000015
【図１５】
0005397467.tif 000016
【図１６】
0005397467.tif 000017
【図１７】
0005397467.tif 000018
【図１８】
0005397467.tif 000019